(57)【特許請求の範囲】
【請求項１】
ドライバの運転行動を表す運転行動指標を検出する運転行動検出手段と、
前記運転行動検出手段によって検出される前記運転行動指標に基づいて、リスクの大きさを表すリスク指標を算出するリスク算出手段と、
前記リスク算出手段によって算出される前記リスク指標に基づいて総合リスク指標を算出する総合リスク指標算出手段と、
前記総合リスク指標算出手段によって算出される前記総合リスク指標に基づく情報を前記ドライバへ提示する情報提示手段とを備え、
前記運転行動検出手段は、複数の運転行動指標を検出し、
前記リスク算出手段は、前記複数の運転行動指標のそれぞれについて複数のリスク形態を設定し、各運転行動指標ごと、かつ各リスク形態ごとに、リスク指標を算出し、
前記総合リスク指標算出手段は、前記リスク算出手段で各運転行動指標ごとかつ各リスク形態ごとに算出されたリスク指標を用いて、複数のリスク形態に対する総合リスク指標を算出することを特徴とする車両用運転評価装置。
【請求項２】
請求項１に記載の車両用運転評価装置において、
前記運転行動検出手段は、前記運転行動指標として、車両の走行状態を表す物理指標および前記ドライバによる前記車両の操作状態を表す物理指標を検出することを特徴とする車両用運転評価装置。
【請求項３】
請求項２に記載の車両用運転評価装置において、
前記運転行動検出手段は、予め設定した特定の走行シーンにおいて前記物理指標を検出することを特徴とする車両用運転評価装置。
【請求項４】
請求項１から請求項３のいずれか１項に記載の車両用運転評価装置において、
前記リスク算出手段は、予め設定されたリスク予測式に前記運転行動指標を当てはめることにより前記リスク指標を算出することを特徴とする車両用運転評価装置。
【請求項５】
請求項４に記載の車両用運転評価装置において、
前記リスク予測式は、追突リスク、後突リスク、路外逸脱リスク、交差点でのリスク、および交通弱者へのリスクに関するリスク指標をそれぞれ算出するように設定されていることを特徴とする車両用運転評価装置。
【請求項６】
請求項５に記載の車両用運転評価装置において、
前記リスク算出手段は、前記リスク指標として、特定のリスクの発生確率と前記リスクの発生による前記ドライバの収入の減少分および保険料の増分を用いることを特徴とする車両用運転評価装置。
【請求項７】
請求項４に記載の車両用運転評価装置において、
前記リスク予測式は、多数のドライバの運転行動指標に対するリスク発生頻度の関係に基づいて設定されていることを特徴とする車両用運転評価装置。
【請求項８】
請求項１から請求項７のいずれか１項に記載の車両用運転評価装置において、
前記総合リスク指標算出手段によって算出される前記総合リスク指標に基づいて前記リスクの状態を前記ドライバへ報知するかを指示するリスク報知指示手段をさらに備え、
前記情報提示手段は、前記リスク報知指示手段からの信号に応じて前記リスクの状態を前記ドライバへ報知するリスク報知手段を備えることを特徴とする車両用運転評価装置。
【請求項９】
請求項８に記載の車両用運転評価装置において、
前記リスク報知手段は、前記総合リスク指標が所定値を超えると自動的に前記リスクの状態を報知することを特徴とする車両用運転評価装置。
【請求項１０】
請求項８または請求項９に記載の車両用運転評価装置において、
前記リスク報知手段は、前記総合リスク指標から個別のリスク指標へと階層表示することを特徴とする車両用運転評価装置。
【請求項１１】
請求項１から請求項１０のいずれか１項に記載の車両用運転評価装置において、
前記総合リスク指標算出手段によって算出される前記総合リスク指標に基づいて前記リスクを低減するための助言を前記ドライバへ提示するかを指示する助言提示指示手段をさらに備え、
前記情報提示手段は、前記助言提示指示手段からの信号に応じて前記ドライバへの前記助言の呈示を行う助言提示手段を備えることを特徴とする車両用運転評価装置。
【請求項１２】
ドライバの運転行動を表す運転行動指標を検出し、
検出された前記運転行動指標に基づいて、リスクの大きさを表すリスク指標を算出し、
算出された前記リスク指標に基づいて総合リスク指標を算出し、
算出された前記総合リスク指標に基づく情報を前記ドライバへ提示し、
前記運転行動指標の検出において、複数の運転行動指標を検出し、
前記複数の運転行動指標のそれぞれについて複数のリスク形態を設定し、各運転行動指標ごと、かつ各リスク形態ごとに、リスク指標を算出し、
各運転行動指標ごとかつ各リスク形態ごとに算出されたリスク指標を用いて、複数のリスク形態に対する総合リスク指標を算出することを特徴とする車両用運転評価方法。
【発明の詳細な説明】
【技術分野】
【０００１】
本発明は、車両用運転評価装置に関する。
【背景技術】
【０００２】
従来の装置は、運転状況からリスクを評価し、運転者の注意を喚起する（例えば特許文献１参照）。この装置は、減速開始時の自車両と先行車との余裕時間を学習し、学習した値に応じて運転者に警報を発生するように構成されています。
【０００３】
【特許文献１】特開平７−１５９５２５号公報
【特許文献２】特開２００５−７１１８４号公報
【発明の開示】
【発明が解決しようとする課題】
【０００４】
上述した従来の装置は、単にリスクが高い状態を検出した場合に運転者に警報を与えるものであり、運転者ごとのばらつき（いわゆる個人間差）、あるいは運転者の中でのばらつき（いわゆる個人内差）によっては、呈示された警報が運転者にとって受け入れにくい情報となってしまうことがある。したがって、警報発生により安心感を高める運転に導くように運転行動を変容させる効果が得られにくいという問題があった。
【課題を解決するための手段】
【０００５】
本発明による車両用運転評価装置は、ドライバの運転行動を表す運転行動指標を検出する運転行動検出手段と、運転行動検出手段によって検出される運転行動指標に基づいて、リスクの大きさを表すリスク指標を算出するリスク算出手段と、リスク算出手段によって算出されるリスク指標に基づいて総合リスク指標を算出する総合リスク指標算出手段と、総合リスク指標算出手段によって算出される総合リスク指標に基づく情報をドライバへ提示する情報提示手段とを備え、運転行動検出手段は、複数の運転行動指標を検出し、リスク算出手段は、複数の運転行動指標のそれぞれについて複数のリスク形態を設定し、各運転行動指標ごと、かつ各リスク形態ごとに、リスク指標を算出し、総合リスク指標算出手段は、リスク算出手段で各運転行動指標ごとかつ各リスク形態ごとに算出されたリスク指標を用いて、複数のリスク形態に対する総合リスク指標を算出する。
本発明による車両用運転評価方法は、ドライバの運転行動を表す運転行動指標を検出し、検出された運転行動指標に基づいて、リスクの大きさを表すリスク指標を算出し、算出されたリスク指標に基づいて総合リスク指標を算出し、算出された総合リスク指標に基づく情報をドライバへ提示し、運転行動指標の検出において、複数の運転行動指標を検出し、複数の運転行動指標のそれぞれについて複数のリスク形態を設定し、各運転行動指標ごと、かつ各リスク形態ごとに、リスク指標を算出し、各運転行動指標ごとかつ各リスク形態ごとに算出されたリスク指標を用いて、複数のリスク形態に対する総合リスク指標を算出する。
【発明の効果】
【０００６】
ドライバの運転行動を評価して、個人の運転特性に応じた情報の呈示を行うことができる。
【発明を実施するための最良の形態】
【０００７】
本発明の一実施の形態による車両用運転評価装置について図面を用いて以下に説明する。図１は、本発明の一実施の形態による車両用運転評価装置の構成を示すシステム図であり、図２は、車両用運転評価装置を搭載した車両の構成図である。
【０００８】
まず、車両用運転評価装置の構成を説明する。車両用運転操作評価装置は、操舵角センサ１、ブレーキペダルセンサ２、アクセルペダルセンサ３、加速度センサ４、自車速度センサ５、前方車間距離センサ６、後方車間距離センサ７、自車位置センサ８、道路形状データベース９、一時停止線位置データベース１０、法定速度データベース１１、コントローラ１８、表示装置１６、および音声装置１７等を備えている。
【０００９】
操舵角センサ１は、ステアリングホイールの回転角度（操舵角度）を検出し、検出した操舵角度をコントローラ１８へ出力する。ブレーキペダルセンサ２は、運転者によってブレーキペダルが踏み込まれたか否かを検出する。アクセルペダルセンサ３は、運転者によってアクセルペダルが踏み込まれたか否かを検出する。加速度センサ４は、自車両の前後方向の加速度を測定する。自車速度センサ５は、車輪速から自車速度を計算する。
【００１０】
前方車間距離センサ６は、例えば車両の前方グリル部もしくはバンパ部等に取り付けられたレーザレーダから構成される。前方車間距離センサ６は、自車両前方に存在する障害物、例えば先行車の有無と、先行車が存在する場合には自車両と先行車との車間距離を測定する。また、車間距離の微分量から自車両と先行車との相対速度を算出する。後方車間距離センサ７は、前方車間距離６と同様の構成を有しており、自車両後方に存在する障害物、例えば後続車の有無と、後続車が存在する場合には自車両と後続車との車間距離を測定する。また、車間距離の微分量から自車両と後続車との相対速度を算出する。
【００１１】
自車位置センサ８は、ＧＰＳを利用して自車両の現在位置、すなわち、自車両の現在位置の緯度経度を測定する。
【００１２】
道路形状データベース９、一時停止線位置データベース１０、および法定速度データベース１１は、自車両に搭載されたナビゲーションシステム（不図示）を構成するデータベースである。道路形状データベース９は、道路の曲率Ｒのデータを格納している。一時停止線位置データベース１０は、一時停止線の緯度経度のデータを格納している。法定速度データベース１１は、道路の法定速度のデータを格納している。
【００１３】
制御装置１８は、ＣＰＵと、ＲＯＭおよびＲＡＭ等のＣＰＵ周辺部品とから構成され、各センサやデータベースからの入力信号に基づいて車両用運転評価装置全体の制御を行う。制御装置１８は、各センサおよびデータベースから得られる情報に基づいて、後述する運転行動指標を計算するための運転行動指標計算用コンピュータ１２と、運転行動指標計算用コンピュータ１２で計算された運転行動指標、および後述するリスク計算結果を記憶するためのメモリ１３と、後述するリスク予測式のデータを格納したリスク予測式データベース１４と、運転者の運転行動指標をリスク予測式にあてはめてリスクを計算するためのリスク計算用コンピュータ１５とを備えている。
【００１４】
表示装置１６は、制御装置１８からの指令に応じて、運転者にリスクに関する情報およびリスクを低減するためのアドバイス等を表示する。例えば、表示装置１６として、ナビゲーションシステムの表示装置を用いることができる。表示装置１６の表示画面はタッチパネルとして構成され、画面に表示されたボタンに触れることで、そのボタンの操作が可能である。音声装置１７は、制御装置１８からの指令に応じてリスクに関する情報を運転者に音声で呈示する。
【００１５】
次に、一実施の形態による車両用運転評価装置の動作を説明する。図３に、車両用運転評価装置の全体の動作手順を表すメインのフローチャートを示す。
例えば、イグニッションスイッチのオンにより図３の処理が開始する（ステップＳ２１）。ステップＳ２２では、ドライバの運転行動を計測する。ここでの具体的な処理は、図４〜図８のフローチャートを用いて後述する。ステップＳ２３では、リスク予測式を読み込む。具体的には、リスク予測式データベース１４に格納された運転行動指標に対するリスク発生累積頻度分布およびリスク発生結果を読み込む。ここでの具体的な処理は、図９〜図１２を用いて後述する。
【００１６】
ステップＳ２４では、ステップＳ２２で計測したドライバの運転行動とステップＳ２３で読み込んだリスク予測式に基づいて、ドライバのリスク指標を算出する。ここで算出するリスク指標は、追突、後突、および路外逸脱等の不慮の事態が発生するおそれ、すなわちリスクの大きさに関する情報をドライバにわかりやすく呈示するための値であり、具体的には、リスクが発生する確率や、リスクが発生した場合にドライバが支払うことになる保険料等を算出する。ここでの具体的な処理は、図１３〜図１６を用いて後述する。
【００１７】
ステップＳ２５では、ステップＳ２４で算出した複数のリスク指標に基づいて、総合リスク指標を作成する。ここでの具体的な処理は、図１７〜図３３を用いて後述する。ステップＳ２６では、ステップＳ２５で算出した総合リスク指標を表示や音声によりドライバへ報知する。ここでの具体的な処理は、図３４〜図３９を用いて後述する。ステップＳ２７では、表示や音声により、リスクを低減するためのアドバイスをドライバに提示する。ここでの具体的な処理は、図４０〜図４２を用いて後述する。これにより、図３のフローチャートに示す処理を終了する（ステップＳ２８）。
【００１８】
つぎに、ステップＳ２２のドライバの運転行動計測処理について図４のフローチャートを用いて説明する。ステップＳ３１で運転行動計測処理が開始されると、ステップＳ３２で各センサおよびデータベースからの情報に基づいて、自車両の走行状況が特定の走行シーンであるかを判定する。そして、ステップＳ３３で判定された走行シーンに対応したリスクに関係する運転行動指標を測定する。測定した運転行動指標は、メモリ１３に記録される。
【００１９】
具体的には、以下に示すように、特定の走行シーンが検出された場合にその走行シーンに対応する運転行動指標を測定する。
・先行車への追従時：先行車追従時の車間時間
・先行車への接近時：先行車接近時の余裕時間
・単独走行時：単独走行時の自車速度と法定速度との差分量
・一時停止線での停車時：一時停止線からの発進加速度
・一時停止線への接近時：一時停止線で減速する際のブレーキ操作開始時における自車両と一時停止線との距離
・後続車に追従されている場合：後続車追従時の後続車との車間時間
・直線路走行時：直線路走行時のステアリングエントロピー
【００２０】
ステップＳ３４では、ステップＳ３３で計測し、蓄積した運転行動指標の、その日の平均値を計算する。具体的には、以下の運転行動指標のその日の平均値を算出する。
・その日の、先行車追従時の車間時間の平均値：THWf_D
・その日の、先行車接近時の余裕時間TTCの平均値：TTC_D
・その日の、単独走行時の、自車速度と法定速度の差分量の平均値：Δv_D
・その日の、一時停止線からの発進加速度の平均値：a_D
・その日の、一時停止線で減速する際のブレーキ操作開始時の距離の平均値：m_D
・その日の、後続車に追従されている時の、後続車との車間時間の平均値：THWb_D
・その日の、直線路走行時のステアリングエントロピーの平均値：Hp_D
【００２１】
ステップＳ３４でその日の運転行動指標の平均値を算出した後、この処理を終了する（ステップＳ３５）。
【００２２】
ここで、運転行動指標と運転行動指標のその日の平均値の算出手順を、図５〜図８のフローチャートを用いて説明する。まず、図５を用いて先行車追従シーン、先行車接近シーン、および単独走行シーンにおける運転行動指標の算出方法を説明する。
【００２３】
ステップＳ４１で処理が開始すると、ステップＳ４２で前方車間距離センサ６によって自車両前方の先行車が検出されているか否かを判定する。先行車が検出されている場合は、ステップＳ４３へ進み、自車両と先行車との相対速度Vrの絶対値が２ｋｍ/ｈ以下であるか否かを判定する。相対速度の絶対値が２ｋｍ/ｈ以下であるときは、自車両が先行車との車間距離をほぼ一定に保って追従していると判断し、ステップＳ４４へ進んで自車両と先行車との車間時間（前方車間時間）THWfを算出する。前方車間時間THWfは、自車両が先行車の現在位置に到達するまでの時間を表す値であり、自車両と先行車との車間距離を自車速で除算することにより算出できる。算出した前方車間時間THWfはメモリ１３に記録して蓄積する。
【００２４】
ステップＳ４５では、メモリ１３に蓄積されたその日の先行車に対する車間時間THWfのデータから、前方車間時間THWfの頻度分布を算出する。そして、ステップＳ４６で、その日の平均車間時間THWf_Dを算出する。
【００２５】
ステップＳ４３で相対速度の絶対値が２ｋｍ/ｈよりも大きいと判定されると、ステップＳ４７へ進み、自車両と先行車との相対速度Vrが−２ｋｍ/ｈよりも小さいか否かを判定する。相対速度Vrが−２ｋｍ/ｈよりも小さい場合は、自車両が先行車に接近していると判断し、ステップＳ４８へ進んで自車両と先行車との余裕時間TTCを算出する。余裕時間TTCは相対速Vrが一定のときに自車両が先行車に接触するまでの時間を表す値であり、自車両と先行車との車間距離を相対速度Vrで除算することにより算出できる。算出した余裕時間TTCはメモリ１３に記録して蓄積する。
【００２６】
ステップＳ４９では、メモリ１３に蓄積されたその日の先行車に対する余裕時間TTCのデータから、余裕時間TTCの頻度分布を算出する。そして、ステップＳ５０で、その日の平均余裕時間TTC_Dを算出する。一方、ステップＳ４７が否定判定されると、ステップＳ５６へ進み、自車両の現在の走行状況が特定の走行シーンに該当しないと判断してシーンの記録は行わない。
【００２７】
ステップＳ４２で先行車が検出されていないと判定されると、ステップＳ５１へ進む。なお、ステップＳ５１以降の処理では単独走行シーンにおける運転行動指標を測定するので、後方車間距離センサ７によって後続車両は検出されていないものとする。ステップＳ５１では、自車位置センサ８からの信号に基づいて、自車両の現在位置を検出する。ステップＳ５２では、法定速度データベース１１から自車両の現在位置に対応する走行路の法定速度データを取得する。ステップＳ５３では、単独走行シーンにおける自車速度と法定速度との差分量Δｖ（＝自車速度−法定速度）を算出する。具体的には、法定速度に基づいて設定される推奨速度と自車速度との差分量（速度差分）を算出し、メモリ１３に記録する。
【００２８】
ステップＳ５４では、メモリ１３に蓄積されたその日の速度差分Δｖのデータから、速度差分の頻度分布を算出する。そして、ステップＳ５５で、その日の平均速度差分Δv_Dを算出する。これにより、この処理を終了する(ステップＳ５７)。
【００２９】
つぎに、図６を用いて一時停止線発進シーン、および一時停止減速シーンにおける運転行動指標の算出方法を説明する。
【００３０】
まず、ステップＳ６１でこの処理を開始すると、ステップＳ６２で前方車間距離センサ６によって先行車両が検出されていないことを確認する。そして、ステップＳ６３で自車位置センサ８からの信号に基づいて、自車両の現在位置を検出する。ステップＳ６４では、一時停止線位置データベース１０から自車両の現在位置に対応する走行路の前方にある一時停止線までの自車両からの距離を取得する。ステップＳ６５では、自車両の現在位置から一時停止線までの距離が±３ｍ以下で、かつ、自車速度センサ５で検出される自車両の車速が０ｋｍ/ｈであるか否かを判定する。ステップＳ６５が肯定判定されると、ステップＳ６６へ進む。ステップＳ６６では、一時停止線発進シーンであると判断し、一時停止線からの発進後３秒以内に加速度センサ４で検出される自車両の加速度の最大値a（最大加速度）をメモリ１３に記録する。
【００３１】
ステップＳ６７では、メモリ１３に蓄積されたその日の最大加速度aのデータから、発進時最大加速度の頻度分布を算出する。そして、ステップＳ６８で、その日の平均の発進時最大加速度a_Dを算出する。
【００３２】
一方、ステップＳ６５が否定判定されると、ステップＳ６９へ進み、自車両の現在位置から一時停止線までの距離が５０ｍ以下であるか否かを判定する。一時停止線までの距離が５０ｍ以下の場合は、ステップＳ７０へ進む。ステップＳ７０では、一時停止線減速シーンと判断し、ブレーキ操作開始時の自車両位置から一時停止線までの距離を計測してメモリ１３に記録する。具体的には、一時停止線までの距離が５０ｍ以下となってからブレーキペダルセンサ２によってドライバのブレーキペダルの踏み込み操作が検出された時点での、自車両位置から一時停止線までの距離を検出する。
【００３３】
ステップＳ７１では、メモリ１３に蓄積されたその日の一時停止線までの距離のデータから、ブレーキ操作開始時の距離の頻度分布を算出する。そして、ステップＳ７２で、その日の平均距離m_Dを算出する。一方、ステップＳ６９が否定判定されると、ステップＳ７３へ進み、自車両の現在の走行状況が特定の走行シーンに該当しないと判断してシーンの記録は行わない。これにより、この処理を終了する(ステップＳ７４)。
【００３４】
つぎに、図７を用いて後続車に追従されている後続車被追従シーンにおける運転行動指標の算出方法を説明する。
【００３５】
まず、ステップＳ８１でこの処理を開始すると、ステップＳ８２で後方車間距離センサ７によって後続車が検出されているか否かを判定する。後続車が検出されている場合は、ステップＳ８３へ進み、後続車被追従シーンと判断して自車両と後続車との車間時間（後方車間時間）を算出してメモリ１３に記録する。ここで、後方車間時間は、自車両と後続車との車間距離を自車速度もしくは後続車の車速で除算した値である。
【００３６】
ステップＳ８４では、メモリ１３に蓄積されたその日の後方車間時間のデータから、後方車間時間の頻度分布を算出する。そして、ステップＳ８５で、その日の平均の後方車間時間THWb_Dを算出する。一方、ステップＳ８２が否定判定され、後続車が検出されていない場合は、ステップＳ８６へ進み、自車両の現在の走行状況が特定の走行シーンに該当しないと判断してシーンの記録は行わない。これにより、この処理を終了する(ステップＳ８７)。
【００３７】
つぎに、図８を用いて直線路走行シーンにおける運転行動指標の算出方法を説明する。
まず、ステップＳ９１でこの処理を開始すると、ステップＳ９２で自車位置センサ８からの信号に基づいて、自車両の現在位置を検出する。ステップＳ９３では、道路形状データベース９から自車両の現在位置に対応する道路形状のデータを取得する。ステップＳ９４では、ステップＳ９３で取得した道路形状データに基づいて、自車両が走行する道路の曲率Ｒが１０００ｍよりも大きいか否かを判定する。道路曲率Ｒが１０００ｍよりも大きい場合は、ステップＳ９５へ進む。
【００３８】
ステップＳ９５では、直線路走行シーンと判断し、操舵角センサ１によって検出される操舵角度に基づいてステアリングエントロピーを計算し、メモリ１３に記録する。ステアリングエントロピー法について簡単に説明する。
【００３９】
一般的に、ドライバの注意が運転に集中していない状態では、操舵が行われない時間が運転に集中した正常運転時よりも長くなり、大きな操舵角の誤差が蓄積される。したがって、ドライバの注意が運転に戻ったときの修正操舵量が大きくなる。ステアリングエントロピー法は、この特性に着目したものであり、特性値としてα値と、α値を基準に算出されたステアリングエントロピーＨｐを用いる。基準となるステアリングエントロピーと、計測された操舵角に基づいて算出されたステアリングエントロピーとを比較することにより、基準に対する運転操作の不安定な状態を検出する。
【００４０】
なお、α値は、操舵角の時系列データに基づいて一定時間内の操舵誤差、すなわちステアリングが滑らかに操作されたと仮定した場合の操舵角の推定値と実際の操舵角との差を求め、操舵誤差の分布（ばらつき）を測定して９０パーセントタイル値（操舵誤差の９０％が含まれる分布の範囲）を算出したものである。ステアリングエントロピー値、すなわちＨｐ値は、操舵誤差分布のあいまいさ（不確実性）を表す。Ｈｐ値は、α値と同様に、ステアリング操作が滑らかで安定している場合は小さくなり、ガクガクと不安定な場合は大きくなる。
【００４１】
つづくステップＳ９６では、メモリ１３に蓄積されたその日のステアリングエントロピーのデータから、ステアリングエントロピーの頻度分布を算出する。そして、ステップＳ９７で、その日の平均のステアリングエントロピーHp_Dを算出する。一方、ステップＳ９４が否定判定され、道路曲率Ｒが１０００ｍ以下の場合は、自車両の現在の走行状況が特定の走行シーンに該当しないと判断してシーンの記録は行わない。これにより、この処理を終了する(ステップＳ９９)。
【００４２】
つぎに、ステップＳ２３のリスク予測式の読み込み処理について図９のフローチャートを用いて説明する。ステップＳ１０１でリスク予測式の読み込み処理が開始されると、ステップＳ１０２で、リスク形態に対するリスク発生結果のデータを読み込む。メモリ１３には、図１０に示すような各リスク形態とリスク発生結果との関係を示すテーブルが予め定義され、記憶されている。
【００４３】
リスク形態としてはさまざまなリスクが考えられるが、ここでは、前方障害物に対する追突のリスク（追突リスク）、後続車との衝突のリスク（後突リスク）、自車両が走行路外へと逸脱するリスク（路外逸脱リスク）、交差点でのリスク（例えば出会い頭事故等）、および交通弱者へのリスク（例えば歩行者との接触等）に分類し、各リスク形態が実際に発生した場合の結果を対応付けて記憶している。リスク発生結果として、例えば、各リスク形態が実際に発生した場合にドライバが仕事を休業しなければならない平均休業日数YA〜YE日、および各リスク形態が実際に発生した場合にドライバが支払う保険料の上昇分ZA〜ZE円を読み込む。
【００４４】
ステップＳ１０３では、運転行動指標に対するリスク発生累積頻度分布のデータを読み込む。メモリ１３には、図１１および図１２に示すような各運転行動指標とリスク発生累積頻度分布がリスク形態ごとに予め定義され、記憶されている。ここでは、以下の運転行動指標を変数として定義し、各リスク形態に関する多数のドライバの運転行動指標データを基にして各リスク形態におけるリスク発生累積頻度分布を設定している。
【００４５】
・先行車への追従シーンの前方車間時間THWf  （図１１）
・先行車への接近シーンの余裕時間TTC  （図１１）
・単独走行シーンの法定速度との差分量Δｖ  （図１１）
・一時停止線発進シーンの最大加速度a  （図１２）
・一時停止線減速シーンのブレーキ操作開始タイミング（ブレーキ操作開始時の距離）ｍ  （図１２）
・後続車被追従シーンの後方車間時間THWb  （図１２）
・直線路走行シーンのステアリングエントロピーHp  （図１２）
【００４６】
ステップＳ１０４では、ステップＳ１０２およびステップＳ１０３で読み込んだデータに基づいて、リスクポテンシャル予測式を構築する。具体的には、各リスク形態に対するリスク発生の予測式を、運転行動指標ごとにそれぞれ３種類（総合リスク指標Risk1,Risk2,Risk3に対応）構築する。総合リスク指標Risk1は、１年当たりのリスク発生確率を、総合リスク指標でRisk2はリスク発生による休業で受け取れなくなる１年当たりのドライバの収入を、総合リスク指標Risk3はリスク発生によって値上がりする１年当たりの保険料の増分を示している。なお、以下の式中のPはドライバの平均日当であり、予め設定して入力しておく。
【００４７】
・追突リスク
- 先行車追従シーンにもとづくリスク予測式
Risk1_A_1[回／年]= F_A_1(THWf)[回／日]×365[日／年] 
Risk2_A_1[円／年]= F_A_1(THWf)[回／日]×YA[休業日／回]×P[円/休業日] ×365[日／年]
Risk3_A_1[円／年]= F_A_1(THWf)[回／日]×ZA[円／回] ×365[日／年]
【００４８】
- 先行車接近シーンにもとづくリスク予測式
Risk1_A_2[回／年]= F_A_2(TTC)[回／日] ×365[日／年]
Risk2_A_2[円／年]= F_A_2(TTC)[回／日] ×YA[休業日／回]×P[円/休業日] ×365[日／年]
Risk3_A_2[円／年]= F_A_2(TTC)[回／日] ×ZA[円／回] ×365[日／年]
【００４９】
- 単独走行シーンにもとづくリスク予測式
Risk1_A_3[回／年]= F_A_3(THW)[回／日] ×365[日／年]
Risk2_A_3[円／年]= F_A_3(THW)[回／日] ×YA[休業日／回]×P[円/休業日] ×365[日／年]
Risk3_A_3[円／年]= F_A_3(THW)[回／日] ×ZA[円／回] ×365[日／年]
【００５０】
- 一時停止線発進シーンにもとづくリスク予測式
Risk1_A_4[回／年]= F_A_4(a)[回／日] ×365[日／年]
Risk2_A_4[円／年]= F_A_4(a)[回／日] ×YA[休業日／回]×P[円/休業日] ×365[日／年]
Risk3_A_4[円／年]= F_A_4(a)[回／日] ×ZA[円／回] ×365[日／年]
【００５１】
- 一時停止線減速シーンにもとづくリスク予測式
Risk1_A_5[回／年]= F_A_5(m)[回／日] ×365[日／年]
Risk2_A_5[円／年]= F_A_5(m)[回／日] ×YA[休業日／回]×P[円/休業日] ×365[日／年]
Risk3_A_5[円／年]= F_A_5(m)[回／日] ×ZA[円／回] ×365[日／年]
【００５２】
- 後続車からの被追従シーンにもとづくリスク予測式
Risk1_A_6[回／年]= F_A_6(THWb)[回／日] ×365[日／年]
Risk2_A_6[円／年]= F_A_6(THWb)[回／日] ×YA[休業日／回]×P[円/休業日] ×365[日／年]
Risk3_A_6[円／年]= F_A_6(THWb)[回／日] ×ZA[円／回] ×365[日／年]
【００５３】
- 直線路走行シーンのステアリングエントロピーにもとづくリスク予測式
Risk1_A_7[回／年]= F_A_7(Hp)[回／日] ×365[日／年]
Risk2_A_7[円／年]= F_A_7(Hp)[回／日] ×YA[休業日／回]×P[円/休業日] ×365[日／年]
Risk3_A_7[円／年]= F_A_7(Hp)[回／日] ×ZA[円／回] ×365[日／年]
【００５４】
・後突リスク
- 先行車追従シーンにもとづくリスク予測式
Risk1_B_1[回／年]= F_B_1(THWf)[回／日] ×365[日／年]
Risk2_B_1[円／年]= F_B_1(THWf)[回／日] ×YB[休業日／回]×P[円/休業日] ×365[日／年]
Risk3_B_1[円／年]= F_B_1(THWf)[回／日]×ZB[円／回] ×365[日／年]
【００５５】
- 先行車接近シーンにもとづくリスク予測式
Risk1_B_2[回／年]= F_B_2(TTC)[回／日] ×365[日／年]
Risk2_B_2[円／年]= F_B_2(TTC)[回／日] ×YB[休業日／回]×P[円/休業日] ×365[日／年]
Risk3_B_2[円／年]= F_B_2(TTC)[回／日] ×ZB[円／回] ×365[日／年]
【００５６】
- 単独走行シーンにもとづくリスク予測式
Risk1_B_3[回／年]= F_B_3(THW)[回／日] ×365[日／年]
Risk2_B_3[円／年]= F_B_3(THW)[回／日] ×YB[休業日／回]×P[円/休業日] ×365[日／年]
Risk3_B_3[円／年]= F_B_3(THW)[回／日] ×ZB[円／回] ×365[日／年]
【００５７】
- 一時停止線発進シーンにもとづくリスク予測式
Risk1_B_4[回／年]= F_B_4(a)[回／日] ×365[日／年]
Risk2_B_4[円／年]= F_B_4(a)[回／日] ×YB[休業日／回]×P[円/休業日] ×365[日／年]
Risk3_B_4[円／年]= F_B_4(a)[回／日] ×ZB[円／回] ×365[日／年]
【００５８】
- 一時停止線減速シーンにもとづくリスク予測式
Risk1_B_5[回／年]= F_B_5(m)[回／日] ×365[日／年]
Risk2_B_5[円／年]= F_B_5(m)[回／日] ×YB[休業日／回]×P[円/休業日] ×365[日／年]
Risk3_B_5[円／年]= F_B_5(m)[回／日] ×ZB[円／回] ×365[日／年]
【００５９】
- 後続車からの被追従シーンにもとづくリスク予測式
Risk1_B_6[回／年]= F_B_6(THWb)[回／日] ×365[日／年]
Risk2_B_6[円／年]= F_B_6(THWb)[回／日] ×YB[休業日／回]×P[円/休業日] ×365[日／年]
Risk3_B_6[円／年]= F_B_6(THWb)[回／日] ×ZB[円／回] ×365[日／年]
【００６０】
- 直線路走行シーンにもとづくリスク予測式
Risk1_B_7[回／年]= F_B_7(Hp)[回／日] ×365[日／年]
Risk2_B_7[円／年]= F_B_7(Hp)[回／日] ×YB[休業日／回]×P[円/休業日] ×365[日／年]
Risk3_B_7[円／年]= F_B_7(Hp)[回／日] ×ZB[円／回] ×365[日／年]
【００６１】
・路外逸脱リスク
- 先行車追従シーンにもとづくリスク予測式
Risk1_C_1[回／年]= F_C_1(THWf)[回／日] ×365[日／年]
Risk2_C_1[円／年]= F_C_1(THWf)[回／日] ×YC[休業日／回]×P[円/休業日] ×365[日／年]
Risk3_C_1[円／年]= F_C_1(THWf)[回／日] ×ZC[円／回] ×365[日／年]
【００６２】
- 先行車接近シーンにもとづくリスク予測式
Risk1_C_2[回／年]= F_C_2(TTC)[回／日] ×365[日／年]
Risk2_C_2[円／年]= F_C_2(TTC)[回／日] ×YC[休業日／回]×P[円/休業日] ×365[日／年]
Risk3_C_2[円／年]= F_C_2(TTC) 回／日] ×ZC[円／回] ×365[日／年]
【００６３】
- 単独走行シーンにもとづくリスク予測式
Risk1_C_3[回／年]= F_C_3(THW)[回／日] ×365[日／年]
Risk2_C_3[円／年]= F_C_3(THW)[回／日] ×YC[休業日／回]×P[円/休業日] ×365[日／年]
Risk3_C_3[円／年]= F_C_3(THW)[回／日] ×ZC[円／回] ×365[日／年]
【００６４】
- 一時停止線発進シーンにもとづくリスク予測式
Risk1_C_4[回／年]= F_C_4(a)[回／日] ×365[日／年]
Risk2_C_4[円／年]= F_C_4(a)[回／日] ×YC[休業日／回]×P[円/休業日] ×365[日／年]
Risk3_C_4[円／年]= F_C_4(a)[回／日] ×ZC[円／回] ×365[日／年]
【００６５】
- 一時停止線減速シーンにもとづくリスク予測式
Risk1_C_5[回／年]= F_C_5(m)[回／日] ×365[日／年]
Risk2_C_5[円／年]= F_C_5(m)[回／日] ×YC[休業日／回]×P[円/休業日] ×365[日／年]
Risk3_C_5[円／年]= F_C_5(m)[回／日] ×ZC[円／回] ×365[日／年]
【００６６】
- 後続車からの被追従シーンにもとづくリスク予測式
Risk1_C_6[回／年]= F_C_6(THWb)[回／日] ×365[日／年]
Risk2_C_6[円／年]= F_C_6(THWb)[回／日] ×YC[休業日／回]×P[円/休業日] ×365[日／年]
Risk3_C_6[円／年]= F_C_6(THWb)[回／日] ×ZC[円／回] ×365[日／年]
【００６７】
- 直線路走行シーンにもとづくリスク予測式
Risk1_C_7[回／年]= F_C_7(Hp)[回／日] ×365[日／年]
Risk2_C_7[円／年]= F_C_7(Hp)[回／日] ×YC[休業日／回]×P[円/休業日] ×365[日／年]
Risk3_C_7[円／年]= F_C_7(Hp)[回／日] ×ZC[円／回] ×365[日／年]
【００６８】
・交差点でのリスク
- 先行車追従シーンにもとづくリスク予測式
Risk1_D_1[回／年]= F_D_1(THWf)[回／日] ×365[日／年]
Risk2_D_1[円／年]= F_D_1(THWf)[回／日]×YD[休業日／回]×P[円/休業日] ×365[日／年]
Risk3_D_1[円／年]= F_D_1(THWf)[回／日] ×ZD[円／回] ×365[日／年]
【００６９】
- 先行車接近シーンにもとづくリスク予測式
Risk1_D_2[回／年]= F_D_2(TTC)[回／日] ×365[日／年]
Risk2_D_2[円／年]= F_D_2(TTC)[回／日] ×YD[休業日／回]×P[円/休業日] ×365[日／年]
Risk3_D_2[円／年]= F_D_2(TTC)[回／日] ×ZD[円／回] ×365[日／年]
【００７０】
- 単独走行シーンにもとづくリスク予測式
Risk1_D_3[回／年]= F_D_3(THW)[回／日] ×365[日／年]
Risk2_D_3[円／年]= F_D_3(THW)[回／日] ×YD[休業日／回]×P[円/休業日] ×365[日／年]
Risk3_D_3[円／年]= F_D_3(THW)[回／日] ×ZD[円／回] ×365[日／年]
【００７１】
- 一時停止線発進シーンにもとづくリスク予測式
Risk1_D_4[回／年]= F_D_4(a)[回／日] ×365[日／年]
Risk2_D_4[円／年]= F_D_4(a)[回／日] ×YD[休業日／回]×P[円/休業日] ×365[日／年]
Risk3_D_4[円／年]= F_D_4(a)[回／日] ×ZD[円／回] ×365[日／年]
【００７２】
- 一時停止線減速シーンにもとづくリスク予測式
Risk1_D_5[回／年]= F_D_5(m)[回／日] ×365[日／年]
Risk2_D_5[円／年]= F_D_5(m)[回／日] ×YD[休業日／回]×P[円/休業日] ×365[日／年]
Risk3_D_5[円／年]= F_D_5(m)[回／日] ×ZD[円／回] ×365[日／年]
【００７３】
- 後続車からの被追従シーンにもとづくリスク予測式
Risk1_D_6[回／年]= F_D_6(THWb)[回／日] ×365[日／年]
Risk2_D_6[円／年]= F_D_6(THWb)[回／日] ×YD[休業日／回]×P[円/休業日] ×365[日／年]
Risk3_D_6[円／年]= F_D_6(THWb)[回／日] ×ZD[円／回] ×365[日／年]
【００７４】
- 直線路走行シーンにもとづくリスク予測式
Risk1_D_7[回／年]= F_D_7(Hp)[回／日] ×365[日／年]
Risk2_D_7[円／年]= F_D_7(Hp)[回／日] ×YD[休業日／回]×P[円/休業日] ×365[日／年]
Risk3_D_7[円／年]= F_D_7(Hp)[回／日] ×ZD[円／回] ×365[日／年]
【００７５】
・交通弱者へのリスク
- 先行車追従シーンにもとづくリスク予測式
Risk1_E_1[回／年]= F_E_1(THWf)[回／日] ×365[日／年]
Risk2_E_1[円／年]= F_E_1(THWf)[回／日]×YE[休業日／回]×P[円/休業日] ×365[日／年]
Risk3_E_1[円／年]= F_E_1(THWf)[回／日]×ZE[円／回] ×365[日／年]
【００７６】
- 先行車接近シーンにもとづくリスク予測式
Risk1_E_2[回／年]= F_E_2(TTC)[回／日] ×365[日／年]
Risk2_E_2[円／年]= F_E_2(TTC)[回／日] ×YE[休業日／回]×P[円/休業日] ×365[日／年]
Risk3_E_2[円／年]= F_E_2(TTC)[回／日] ×ZE[円／回] ×365[日／年]
【００７７】
- 単独走行シーンにもとづくリスク予測式
Risk1_E_3[回／年]= F_E_3(THW)[回／日] ×365[日／年]
Risk2_E_3[円／年]= F_E_3(THW)[回／日] ×YE[休業日／回]×P[円/休業日] ×365[日／年]
Risk3_E_3[円／年]= F_E_3(THW)[回／日] ×ZE[円／回] ×365[日／年]
【００７８】
- 一時停止線発進シーンにもとづくリスク予測式
Risk1_E_4[回／年]= F_E_4(a)[回／日] ×365[日／年]
Risk2_E_4[円／年]= F_E_4(a)[回／日] ×YE[休業日／回]×P[円/休業日] ×365[日／年]
Risk3_E_4[円／年]= F_E_4(a)[回／日] ×ZE[円／回] ×365[日／年]
【００７９】
- 一時停止線減速シーンにもとづくリスク予測式
Risk1_E_5[回／年]= F_E_5(m)[回／日] ×365[日／年]
Risk2_E_5[円／年]= F_E_5(m)[回／日] ×YE[休業日／回]×P[円/休業日] ×365[日／年]
Risk3_E_5[円／年]= F_E_5(m)[回／日] ×ZE[円／回] ×365[日／年]
【００８０】
- 後続車からの被追従シーンにもとづくリスク予測式
Risk1_E_6[回／年]= F_E_6(THWb)[回／日] ×365[日／年]
Risk2_E_6[円／年]= F_E_6(THWb)[回／日] ×YE[休業日／回]×P[円/休業日] ×365[日／年]
Risk3_E_6[円／年]= F_E_6(THWb)[回／日] ×ZE[円／回] ×365[日／年]
【００８１】
- 直線路走行シーンにもとづくリスク予測式
Risk1_E_7[回／年]= F_E_7(Hp)[回／日] ×365[日／年]
Risk2_E_7[円／年]= F_E_7(Hp)[回／日] ×YE[休業日／回]×P[円/休業日] ×365[日／年]
Risk3_E_7[円／年]= F_E_7(Hp)[回／日] ×ZE[円／回] ×365[日／年]
【００８２】
このようにステップＳ１０４でリスク予測式を構築した後、この処理を終了する（ステップＳ１０５）。
【００８３】
つぎに、ステップＳ２４のリスク指標算出処理について図１３のフローチャートを用いて説明する。ステップＳ１０６でリスク指標算出処理が開始されると、ステップＳ１０７で、ステップＳ２２で計測したドライバの各種運転行動指標を読み込む。具体的には、以下の運転行動指標の平均値を読み込む。
【００８４】
・その日の、先行車追従時の前方車間時間の平均値THWf_D
・その日の、先行車接近時の余裕時間TTCの平均値TTC_D
・その日の、単独走行時の自車速度と法定速度の差分量の平均値Δv_D
・その日の、一時停止線からの発進時最大加速度の平均値a_D
・その日の、一時停止線で減速する際のブレーキ操作開始時の距離の平均値m_D
・その日の、後続車に追従されている時の後続車との後方車間時間の平均値THWb_D
・その日の、直線路走行時のステアリングエントロピーの平均値Hp_D
【００８５】
ステップＳ１０８では、ステップＳ１０７で読み込んだドライバーの運転行動指標をステップＳ２３で読み込んだリスク予測式に当てはめ、リスク指標Risk1,Risk2,Risk3を算出する。これにより、この処理を終了する（ステップＳ１０９）。図１４〜図１６に、各リスク形態ごとのそれぞれの運転行動指標に対する３種類のリスク指標Risk1,Risk2,Risk3をそれぞれ示す。
【００８６】
つぎに、ステップＳ２５の総合リスク指標作成処理について説明する。ここでは、ステップＳ２４で算出した個々のリスク指標に基づいて総合的なリスク指標を算出する。総合リスク指標算出方法には以下の４種類があり、何れの方法を用いて算出するかは予め設定しておく。すなわち、いずれか１つの作成方法のプログラムをメモリ１３に予め記憶するようにしてもよいし、４種類全てをメモリ１３に記憶して必要なときに算出方法を選択できるようにしてもよい。
【００８７】
・方法１：特定のリスク形態に対する複数の運転行動指標に基づくリスク指標計算結果から、総合リスク指標を算出する。方法１による総合リスク指標の算出手順を、図１７のフローチャートを用いて説明する。
【００８８】
ステップＳ１１１で総合リスク指標の算出処理を開始すると、ステップＳ１１２で特定のリスク形態に対する各種運転行動指標でのリスク指標の計算結果を読込む。ステップＳ１１３では、各種運転行動指標に基づくリスク指標の計算結果の中から、最大値を総合リスク指標として選択して、この処理を終了する(ステップＳ１１４)。
【００８９】
図１８〜図２０に、例として追突リスクを特定のリスク形態とした場合に算出される総合リスク指標Risk1,Risk2,Risk3を示す。図１８に示すように、１年当たりのリスク発生確率を示す総合リスク指標Risk1は、Risk1＝MAX(Risk1_A_1, Risk1_A_2, Risk1_A_3, Risk1_A_4, Risk1_A_5, Risk1_A_6, Risk1_A_7)として算出される。図１９に示すように、１年当たりのリスク発生による休業で受け取れなくなる収入予測を示す総合リスク指標Risk2は、Risk2＝MAX(Risk2_A_1, Risk2_A_2, Risk2_A_3, Risk2_A_4, Risk2_A_5, Risk2_A_6, Risk2_A_7)として算出される。図２０に示すように、１年当たりのリスク発生によって予測される保険料の増分を示すリスク指標Risk3は、Risk3＝MAX(Risk3_A_1, Risk3_A_2, Risk3_A_3, Risk3_A_4, Risk3_A_5, Risk3_A_6, Risk3_A_7)として算出される。
【００９０】
・方法２：特定の運転行動指標において複数のリスク形態に対するリスク指標計算結果から、総合リスク指標を算出する。方法２による総合リスク指標の算出手順を、図２１のフローチャートを用いて説明する。
【００９１】
ステップＳ１２１で総合リスク指標の算出処理を開始すると、ステップＳ１２２で特定の運転行動指標に対する各種リスク形態のリスク指標の計算結果を読込む。ステップＳ１２３では、各種リスク形態におけるリスク指標の計算結果の中から、最大値を総合リスク指標として選択して、この処理を終了する(ステップＳ１２４)。
【００９２】
図２２〜図２４に、例として先行車追従シーンの車間時間を特定の運転行動指標とした場合に算出される総合リスク指標Risk1,Risk2,Risk3を示す。図２２に示すように、１年当たりのリスク発生確率を示す総合リスク指標Risk1は、Risk1＝MAX(Risk1_A_1, Risk1_B_1, Risk1_C_1, Risk1_D_1, Risk1_E_1)として算出される。図２３に示すように、１年当たりのリスク発生による休業で受け取れなくなる収入予測を示す総合リスク指標Risk2は、Risk2＝MAX(Risk2_A_1, Risk2_B_1, Risk2_C_1, Risk2_D_1, Risk2_E_1)として算出される。図２４に示すように、１年当たりのリスク発生によって予測される保険料の増分を示すリスク指標Risk3は、Risk3＝MAX(Risk3_A_1, Risk3_B_1, Risk3_C_1, Risk3_D_1, Risk3_E_1)として算出される。
【００９３】
・方法３：それぞれのリスク形態に対して、代表的な運転行動指標のリスク指標計算結果を選択し、その中で総合リスク指標を算出する。方法３による総合リスク指標の算出手順を、図２５のフローチャートを用いて説明する。図２６に、各リスク形態の代表的な運転行動指標の一例を示す。あるリスク形態に対して代表的な運転行動指標が複数ある場合は、全てピックアップする。
【００９４】
図２６に示すように、追突リスクについては、先行車追従シーンにおける車間時間と先行車接近シーンの余裕時間を選択する。後突リスクについては、後続車からの被追従シーンにおける後方車間時間を選択する。路外逸脱リスクについては、単独走行シーンの速度差分と、直線路走行シーンのステアリングエントロピーを選択する。交差点でのリスクについては、一時停止線減速シーンのブレーキ操作開始距離（タイミング）を選択する。交通弱者へのリスクについては、一時停止線発進シーンの最大加速度を選択する。
【００９５】
ステップＳ１３１で総合リスク指標の算出処理を開始すると、ステップＳ１３２でそれぞれのリスク形態における代表的な運転行動指標のリスク指標計算結果を読み込む。ステップＳ１３３では、読み込んだ全てのリスク指標の計算結果の中から、最大値を総合リスク指標として選択して、この処理を終了する(ステップＳ１３４)。
【００９６】
図２７〜図２９に、図２６に示した運転行動指標を代表的な運転行動指標として選択した場合に算出される総合リスク指標Risk1,Risk2,Risk3を示す。図２７に示すように、１年当たりのリスク発生確率を示す総合リスク指標Risk1は、Risk1＝MAX(Risk1_A_1, Risk1_A_2, Risk1_B_6, Risk1_C_3, Risk1_C_7,Risk1_D_5,Risk1_E_4)として算出される。図２８に示すように、１年当たりのリスク発生による休業で受け取れなくなる収入予測を示す総合リスク指標Risk2は、Risk2＝MAX(Risk2_A_1, Risk2_A_2, Risk2_B_6, Risk2_C_3, Risk2_C_7,Risk2_D_5,Risk2_E_4)として算出される。図２９に示すように、１年当たりのリスク発生によって予測される保険料の増分を示すリスク指標Risk3は、Risk3＝MAX(Risk3_A_1, Risk3_A_2, Risk3_B_6, Risk3_C_3, Risk3_C_7,Risk3_D_5,Risk3_E_4)として算出される。
【００９７】
・方法４：複数の運転行動指標と複数のリスク携帯に対するリスク指標計算結果から、総合リスク指標を算出する。方法４による総合リスク指標の算出手順を、図３０のフローチャートを用いて説明する。
【００９８】
ステップＳ１４１で総合リスク指標の算出処理を開始すると、ステップＳ１４２で複数の運転行動指標に対する各種リスク形態のリスク指標計算結果を読み込む。ステップＳ１４３では、読み込んだ全てのリスク指標の計算結果の中から、最大値を総合リスク指標として選択して、この処理を終了する(ステップＳ１４４)。なお、総合リスク指標は、ドライバの運転行動を評価して、運転行動から予測されうるリスクをリスクの発生頻度、収入の減少、または保険料の増加といった定量的な指標で表したものである。
【００９９】
図３１〜図３３に、方法４によって算出される総合リスク指標Risk1,Risk2,Risk3を示す。図３１に示すように、１年当たりのリスク発生確率を示す総合リスク指標Risk1は、Risk1＝MAX(Risk1_A_1〜7, Risk1_B_1〜7, Risk1_C_1〜7, Risk1_D_1〜7, Risk1_E_1〜7)として算出される。図３２に示すように、１年当たりのリスク発生による休業で受け取れなくなる収入予測を示す総合リスク指標Risk2は、Risk2＝MAX(Risk2_A_1〜7, Risk2_B_1〜7, Risk2_C_1〜7, Risk2_D_1〜7, Risk2_E_1〜7)として算出される。図３３に示すように、１年当たりのリスク発生によって予測される保険料の増分を示すリスク指標Risk3は、Risk3＝MAX(Risk3_A_1〜7, Risk3_B_1〜7, Risk3_C_1〜7, Risk3_D_1〜7, Risk3_E_1〜7)として算出される。
【０１００】
つぎに、ステップＳ２６のドライバへの報知処理について図３４のフローチャートを用いて説明する。ステップＳ１５１でドライバへの報知処理が開始されると、ステップＳ１５２で、ドライバへ提示する総合リスク指標を選択する。具体的には、ステップＳ２５で算出した３種類の総合リスク指標Risk1,Risk2,Risk3の中から１つを、ドライバへ提示する総合リスク指標として選択する。これは、例えばドライバが表示装置１６の画面に表示されたタッチパネルを操作することによって所望の総合リスク指標を選択できるようにする。あるいは、予め提示用として設定した総合リスク指標を表示することもできる。
【０１０１】
ステップＳ１５３では、ステップＳ１５２で選択した総合リスク指標の過去３ヶ月の平均値Ａｖと標準偏差σを計算する。ステップＳ１５４では、総合リスク指標を規定値Ｃ１と比較する。規定値Ｃ１は、ステップＳ１５３で算出した総合リスク指標の平均値Ａｖと標準偏差σを用いて、以下の(式１)から算出する。
Ｃ１＝Ａｖ＋２σ    ・・・(式１)
総合リスク指標が規定値Ｃ１よりも大きい場合は、ステップＳ１５５へ進む。
【０１０２】
ステップＳ１５５では、総合リスク指標をドライバへ提示する。ここでは、音声による報知を自動的に行い、表示による報知を手動で行う。例えば、提示用の総合リスク指標としてRisk3を選択した場合、音声装置１７は、「ご注意ください。リスクの高い状態になっています。今の運転を続けると、来年度の保険料が３万円値上がりします。」という音声情報を出力する。また、表示装置１６は、例えば図３５に示すように、「リスクの診断結果」を表示選択するためのタッチパネルボタンをナビゲーションシステムの表示画面に重畳して表示する。
【０１０３】
ステップＳ１５４が否定判定されると、ステップＳ１５６へ進み、総合リスク指標総合リスク指標を規定値Ｃ２と比較する。規定値Ｃ１は、ステップＳ１５３で算出した総合リスク指標の平均値Ａｖと標準偏差σを用いて、以下の(式２)から算出する。
Ｃ２＝Ａｖ＋σ    ・・・(式２)
総合リスク指標が規定値Ｃ２よりも大きい場合は、ステップＳ１５７へ進む。総合リスク指標が規定値Ｃ２以下の場合は、ステップＳ１５８へ進んでドライバへの報知を行わずにこの処理を終了する。
【０１０４】
ステップＳ１５７では、総合リスク指標をドライバへ提示する。ここでは、表示による報知を手動で行う。表示装置１６は、例えば図３６に示すように、「リスクの診断結果」を表示選択するためのタッチパネルボタンをナビゲーションシステムの表示画面に重畳して表示する。これにより、この処理を終了する（ステップＳ１５９）。
【０１０５】
ステップＳ１５５またはＳ１５７で表示された「リスクの診断結果」ボタンが操作されると、図３７〜図３９に示す表示画面に移行する。ただし、「リスクの診断結果」ボタンは停車状態の場合に限って操作可能であり、走行中に操作されると音声装置１７により「走行中の表示はできません」という音声報知をして、表示画面の移行は行わない。
【０１０６】
図３７（ａ）（ｂ）は、提示用の総合リスク指標として１年当たりのリスク発生確率を示すRisk1を選択した場合の表示画面、図３８（ａ）（ｂ）は、提示用の総合リスク指標として１年当たりのリスク発生による休業で受け取れなくなる収入予測を示すRisk2を選択した場合の表示画面、および図３９（ａ）（ｂ）は、提示用の総合リスク指標として1年当たりのリスク発生によって値上がりする保険料の増分予測を示すRisk3を選択した場合の表示画面の例をそれぞれ示す。
【０１０７】
「リスクの診断結果」ボタンが操作されると、表示装置１６の表示画面には図３７（ａ）、図３８（ａ）、または図３９（ａ）に示すような提示用の総合リスク指標に関する情報が表示される。Risk1を選択した場合、図３７（ａ）に示すように例えば「今の運転を続けた場合、１年間で最大０．８回のリスクに遭遇する可能性があります」というテキストを表示する。Risk2を選択した場合、図３８（ａ）に示すように例えば「今の運転を続けた場合、年収が最大１２万円減少する可能性があります」というテキストを表示する。Risk3を選択した場合、図３９（ａ）に示すように例えば「今の運転を続けた場合、来年度の保険料が最大３万円値上がりする可能性があります」というテキストを表示する。
【０１０８】
これらの表示画面の下方領域には、「ナビに戻るボタン」が表示される。さらに、上述した方法２〜４のいずれかによって総合リスク指標を算出した場合は、図３７（ａ）、図３８（ａ）、および図３９（ａ）に示すような「詳細へ」ボタンが表示される。方法１によって総合リスク指標を算出した場合は、「詳細へ」ボタンは表示されない。
【０１０９】
「詳細へ」ボタンが操作されると、表示装置１６の表示画面には図３７（ｂ）、図３８（ｂ）、または図３９（ｂ）に示すような提示用の総合リスク指標に関する情報が表示される。この場合、上述した複数のリスク形態を前方のリスク、後方のリスク、および側方のリスクに分類し、それぞれについての情報を提示する。前方のリスクは、追突リスク、交差点でのリスク、および交通弱者へのリスクに対するリスク指標の中から最大のものを選択して表示する。後方のリスクは、後突リスクに対するリスク指標を表示する。側方のリスクは、路外逸脱リスクに対するリスク指標を表示する。
【０１１０】
なお、上述した方法３または方法４によって総合リスク指標を算出した場合は、図３７（ｂ）、図３８（ｂ）、および図３９（ｂ）に示すように詳細情報の表示画面の下方領域に、「アドバイスの表示」ボタンが表示される。「アドバイスの表示」ボタンが操作されると、後述するようなリスク低減のためのアドバイス表示画面に移行する。方法１または方法２によって総合リスク指標を算出した場合は、「アドバイスの表示」ボタンは表示されない。アドバイスの表示は、図３のメインフローチャートにおけるステップＳ２７のドライバへのアドバイスの提示処理に相当する。すなわち、方法３または方法４によって総合リスク指標を算出した場合は、ステップＳ２６でドライバへの報知を行った後、ステップＳ２７へ進んでドライバへのアドバイスの提示処理に進むが、方法１または方法２によって総合リスク指標を算出した場合は、ステップＳ２６でドライバへの報知を行った後、ステップＳ２７をスキップして処理を終了する。
【０１１１】
ステップＳ２７のドライバへのアドバイス提示処理について図４０のフローチャートを用いて説明する。ステップＳ１６１でドライバへのアドバイスの提示処理が開始されると、ステップＳ１６２で、ドライバへアドバイスを提示する運転行動を抽出する。具体的には、各運転行動指標について計算されるリスク指標の最大値（方法３の場合は１つしかないので、その値）が、前述の判別値Ｃ２（＝Ａｖ＋σ）を超えているかを判定する。そして、判別式Ｃ２を超えているリスク指標に対応する運転行動指標を記憶する。
【０１１２】
ステップＳ１６３では、表示装置１６にアドバイス画面を表示する。具体的には、ステップＳ１６２で判別値Ｃ２を超えていると判定されたリスク指標に対応する運転行動指標について、図４１の表に示すようなメッセージを読み出してアドバイス画面を表示する。図４２に、先行車追従シーンの車間時間および直線路走行シーンのステアリングエントロピーがそれぞれ判別値Ｃ２を超えている場合の、アドバイス画面の表示例を示す。これにより、この処理を終了する(ステップＳ１６４)。
【０１１３】
図４１に示すように、先行車追従シーンの車間時間が判別値Ｃ２を超える場合は、「車間時間が短めです。車間を広めに取りましょう。」というメッセージを表示する。先行車接近シーンの余裕時間が判別値Ｃ２を超える場合は、「ブレーキタイミングが遅めです。早めのブレーキ操作を心掛けましょう。」というメッセージを表示する。単独走行シーンの速度差分んが判別値Ｃ２を超える場合は、「速度が高めです。交通環境に応じた速度で走行しましょう。」というメッセージを表示する。一時停止線発進シーンの最大加速度が判別値Ｃ２を超える場合は、「発進が急です。穏やかな発進を心掛けましょう。」というメッセージを表示する。
【０１１４】
一時停止線減速シーンのブレーキ操作開始距離（タイミング）が判別値Ｃ２を超える場合は、「一時停止線でのブレーキタイミングが遅めです。早めのブレーキ操作を心掛けましょう。」というメッセージを表示する。後続車被追従シーンの車間時間が判別値Ｃ２を超える場合は、「後続車が接近しています。先を譲るなどして無理な運転は控えましょう。」というメッセージを表示する。直線路走行シーンのステアリングエントロピーが判別値Ｃ２を超える場合は、「ハンドル操作が急です。交通環境に注意して走行しましょう。」というメッセージを表示する。
【０１１５】
このように、以上説明した一実施の形態によると、以下のような作用効果を奏することができる。
（１）ドライバの運転行動を表す運転行動指標を検出し、運転行動指標に基づいてリスクの大きさを表すリスク指標を算出する。さらにリスク指標に基づいて総合リスク指標を算出し、リスクの状態をドライバへ報知するとともに、必要に応じてリスクを低減するための助言をドライバへ提示する。ドライバの運転行動に基づいてリスク指標を算出するので、ドライバ個人の運転特性に応じた情報呈示を行うことができる。また、総合的なリスク指標を提示するので、簡潔で分かりやすい情報呈示を行うことができる。
（２）運転行動指標としては、車両の走行状態を表す物理指標およびドライバによる車両の操作状態を表す物理指標を検出する。具体的には、先行車追従時の車間時間、先行車接近時の余裕時間、単独走行時の自車速度と法定速度との差分量、一時停止線からの発進加速度、一時停止線で減速する際のブレーキ操作開始時における自車両と一時停止線との距離、後続車追従時の後続車との車間時間、および直線路走行時のステアリングエントロピーを取得する。これにより、車両走行状態やドライバの操作状態に表れるドライバの運転特性を的確に把握することができる。
（３）予め特定した走行シーンにおいて物理指標を検出するので、車両走行状態やドライバの操作状態を一定の条件で検出することができ、ドライバの運転特性を正確に把握することができる。
（４）リスク指標は、予め設定されたリスク予測式に運転行動指標を当てはめることにより算出するので、リスク指標の算出を速やかに行うことができる。
（５）リスク予測式は、追突リスク、後突リスク、路外逸脱リスク、交差点でのリスク、および交通弱者へのリスクに関するリスク指標をそれぞれ算出するように設定されている。したがって、各種リスクに対応したリスク指標を算出することができる。
（６）リスク指標としては、特定のリスクの発生確率とそのリスクが実際に発生したことによる結果を用いる。例えば、１年当たりのリスクの発生確率、１年当たりのリスク発生による休業で受け取れなくなる収入予測、および１年当たりのリスク発生によって値上がりする保険料の増分予測を、リスク指標として算出する。このようなリスク指標を用いることにより、ドライバの運転行動がもたらす結果を想像しやすく、ドライバが共感しやすい情報を提示することができる。
（７）リスク予測式は、多数のドライバの運転行動指標に対するリスク発生頻度の関係に基づいて設定されている。具体的には、図１１および図１２に示すような各運転行動指標に対応するリスク発生累積頻度分布を用いてリスク予測式を設定する。これにより、ドライバの運転行動を客観的に評価することができる。
（８）方法１によって総合リスク指標を算出する場合は、複数の運転行動指標に基づく複数のリスク指標を用いて、特定のリスク形態に対する総合リスク指標を算出する。これは、特定のリスク形態に関する情報を得たい場合に有効である。
（９）方法２によって総合リスク指標を算出する場合は、単一の運転行動指標に基づく複数のリスク指標を用いて、複数のリスク形態に対する総合リスク指標を算出する。これは、特定の運転行動指標に関する運転評価を行いたい場合に有効である。
（１０）方法３によって総合リスク指標を算出する場合は、複数のリスク指標を用いて、複数の運転行動指標がそれぞれ代表する複数のリスク形態に対する総合リスク指標を算出する。ドライバの運転行動に起因して発生する可能性のあるリスク形態について総合リスク指標が算出されるので、ドライバに分かりやすい情報提供を行うことが可能となる。
（１１）方法４によって総合リスク指標を算出する場合は、複数の運転行動指標に基づく複数のリスク指標を用いて、複数のリスク形態に対する総合リスク指標を算出する。これにより、あらゆる運転行動およびリスク形態を考慮した総合的なリスク情報の呈示を行うことが可能となる。
（１２）リスク状態報知指示が出力されると、リスクの状態を報知する。具体的には、表示装置１６に表示された「リスクポテンシャルの診断結果」ボタンが操作されるとドライバへの報知を行うので、ドライバが必要とするときに所望のタイミングで情報提供を行うことができる。
（１３）総合リスク指標が所定値を超えると自動的にリスクの状態を報知するので、必要な情報を速やかに提供することができる。
（１４）リスクの状態を報知する場合は、総合リスク指標から個別のリスク指標へと階層表示するので、必要な情報を段階的にわかりやすくドライバへ提供することができる。
（１５）助言提示指示が出力されると、助言の呈示を行う。具体的には、表示装置１６に表示された「アドバイスの表示」ボタンが操作されるとアドバイスの呈示を行うので、ドライバが必要とするときに所望のタイミングで情報提供を行うことができる。助言を提示することにより、ドライバにとっては、リスクを下げるためには何をすればよいのかが明確にわかるので、ドライバの運転技術を向上するよう導くことが可能となる。
【０１１６】
上述した実施の形態では、運転行動指標として前方車間時間や余裕時間等、種々の物理量を取得したが、検出する運転行動指標としては上述したものには限定されない。上記運転行動指標に、さらに他の指標を加えてもよいし、いずれかの指標を省略することも可能である。また、走行シーンやリスク形態も上述したものには限定されない。
【０１１７】
以上説明した一実施の形態において、操舵角センサ１、ブレーキペダルセンサ２、アクセルペダルセンサ３、加速度センサ４、自車速度センサ５、前方車間距離センサ６、後方車間距離センサ７、自車位置センサ８、道路形状データベース９、一時停止線位置データベース１０、法定速度データベース１１、および運転行動指標計算用コンピュータ１２が運転行動検出手段として機能し、リスク計算用コンピュータ１５がリスク算出手段および総合リスク指標算出手段として機能し、表示装置１６および音声装置１７がリスク報知手段および助言提示手段として機能することができる。例えば運転行動検出手段はこれらには限定されず、評価する運転行動やリスク形態に応じて適したものを用いることができる。また、リスク報知や助言提示のために、表示装置１６または音声装置１７を用いるように構成することも可能である。なお、以上の説明はあくまで一例であり、発明を解釈する際、上記の実施形態の記載事項と特許請求の範囲の記載事項の対応関係になんら限定も拘束もされない。
【図面の簡単な説明】
【０１１８】
【図１】本発明の一実施の形態による車両用運転評価装置のシステム構成を示す図。
【図２】図１に示す車両用運転評価装置を搭載した車両の構成図。
【図３】車両用運転評価装置による動作を示すメインフローチャート。
【図４】ドライバの運転行動計測処理の処理手順を示すフローチャート。
【図５】先行車追従シーン、先行車接近シーン、および単独走行シーンにおける運転行動計測処理を説明するフローチャート。
【図６】一時停止線発進シーンおよび一時停止線減速シーンにおける運転行動計測処理を説明するフローチャート。
【図７】後続車からの被追従シーンにおける運転行動計測処理を説明するフローチャート。
【図８】直線路走行シーンにおける運転行動計測処理を説明するフローチャート。
【図９】リスク予測式読込み処理の処理手順を示すフローチャート。
【図１０】リスク形態ごとのリスク発生結果を示す図。
【図１１】リスク形態ごとの運転行動指標に対するリスク発生累積頻度分布を示す図。
【図１２】リスク形態ごとの運転行動指標に対するリスク発生累積頻度分布を示す図。
【図１３】リスク算出処理の処理手順を示すフローチャート。
【図１４】１年当たりのリスク発生確率を表すリスク指標Risk1の計算結果を示す図。
【図１５】1年当たりのリスク発生による休業で受け取れなくなる収入予測を表すリスク指標Risk2の計算結果を示す図。
【図１６】1年当たりのリスク発生によって値上がりする保険料の増分予測を表すリスク指標Risk3の計算結果を示す図。
【図１７】方法１による総合リスク指標算出処理の処理手順を示すフローチャート。
【図１８】方法１による総合リスク指標Risk1の算出事例を示す図。
【図１９】方法１による総合リスク指標Risk2の算出事例を示す図。
【図２０】方法１による総合リスク指標Risk3の算出事例を示す図。
【図２１】方法２による総合リスク指標算出処理の処理手順を示すフローチャート。
【図２２】方法２による総合リスク指標Risk1の算出事例を示す図。
【図２３】方法２による総合リスク指標Risk2の算出事例を示す図。
【図２４】方法２による総合リスク指標Risk3の算出事例を示す図。
【図２５】方法３による総合リスク指標算出処理の処理手順を示すフローチャート。
【図２６】方法３による各種リスク形態を代表する運転行動指標を示す図。
【図２７】方法３による総合リスク指標Risk1の算出事例を示す図。
【図２８】方法３による総合リスク指標Risk2の算出事例を示す図。
【図２９】方法３による総合リスク指標Risk3の算出事例を示す図。
【図３０】方法４による総合リスク指標算出処理の処理手順を示すフローチャート。
【図３１】方法４による総合リスク指標Risk1の算出事例を示す図。
【図３２】方法４による総合リスク指標Risk2の算出事例を示す図。
【図３３】方法４による総合リスク指標Risk3の算出事例を示す図。
【図３４】ドライバへの報知処理の処理手順を示すフローチャート。
【図３５】総合リスク指標の音声報知を説明する図。
【図３６】総合リスク指標の手動表示選択画面を示す図。
【図３７】（ａ）（ｂ）１年当たりのリスク発生確率を表す総合リスク指標Risk1の表示例を示す図。
【図３８】（ａ）（ｂ） 1年当たりのリスク発生による休業で受け取れなくなる収入予測を表す総合リスク指標Risk2の表示例を示す図。
【図３９】（ａ）（ｂ）1年当たりのリスク発生によって値上がりする保険料の増分予測を表す総合リスク指標Risk3の表示例を示す図。
【図４０】ドライバへのアドバイス提示処理の処理手順を示すフローチャート。
【図４１】各運転行動指標に対応してドライバに提示するアドバイスを示す図。
【図４２】アドバイス表示画面の一例を示す図。
【符号の説明】
【０１１９】
１：操舵角センサ、２：ブレーキペダルセンサ、３：アクセルペダルセンサ３、４：加速度センサ、５：自車速度センサ、６：前方車間距離センサ、７：後方車間距離センサ、８：自車位置センサ、９：道路形状データベース、１０：一時停止線位置データベース、１１：法定速度データベース、１２：運転行動指標計算用コンピュータ、１３：メモリ、１４：リスク予測式データベース、１５：リスク計算用コンピュータ、１６：表示装置、１７：音声装置、１８：コントローラ
【図１】
0004983501.tif 000002
【図２】
0004983501.tif 000003
【図３】
0004983501.tif 000004
【図４】
0004983501.tif 000005
【図５】
0004983501.tif 000006
【図６】
0004983501.tif 000007
【図７】
0004983501.tif 000008
【図８】
0004983501.tif 000009
【図９】
0004983501.tif 000010
【図１０】
0004983501.tif 000011
【図１１】
0004983501.tif 000012
【図１２】
0004983501.tif 000013
【図１３】
0004983501.tif 000014
【図１４】
0004983501.tif 000015
【図１５】
0004983501.tif 000016
【図１６】
0004983501.tif 000017
【図１７】
0004983501.tif 000018
【図１８】
0004983501.tif 000019
【図１９】
0004983501.tif 000020
【図２０】
0004983501.tif 000021
【図２１】
0004983501.tif 000022
【図２２】
0004983501.tif 000023
【図２３】
0004983501.tif 000024
【図２４】
0004983501.tif 000025
【図２５】
0004983501.tif 000026
【図２６】
0004983501.tif 000027
【図２７】
0004983501.tif 000028
【図２８】
0004983501.tif 000029
【図２９】
0004983501.tif 000030
【図３０】
0004983501.tif 000031
【図３１】
0004983501.tif 000032
【図３２】
0004983501.tif 000033
【図３３】
0004983501.tif 000034
【図３４】
0004983501.tif 000035
【図３５】
0004983501.tif 000036
【図３６】
0004983501.tif 000037
【図３７】
0004983501.tif 000038
【図３８】
0004983501.tif 000039
【図３９】
0004983501.tif 000040
【図４０】
0004983501.tif 000041
【図４１】
0004983501.tif 000042
【図４２】
0004983501.tif 000043